【手続補正書】
【提出日】平成29年2月23日(2017.2.23)
【手続補正１】
【補正対象書類名】明細書
【補正対象項目名】００２５
【補正方法】変更
【補正の内容】
【００２５】
式（Ｉｂ）の化合物は、ペンタエリトリトールエステルとして知られている。これらのペンタエリスリトールは、アルキル基でモノ置換、ジ置換、トリ置換されて存在し得る。式（Ｉｃ）の好ましい化合物は、Ｒ19が−ＣＨ2Ｃ［ＣＨ2ＯＲ］3である、ジペンタエリトリトールエステルである。市販のペンタエリトリトールエステルは、Ｒ19及び各Ｒが−Ｈであるものから、各Ｒが−Ｃ（Ｏ）Ｒ1であり、各Ｒ1が少なくとも１つの不飽和結合を任意選択的に含む、５〜２９個の炭素を有する直鎖又は分枝鎖のアルキル基であるペンタエリトリトールエステルに至る、種々のペンタエリトリトールエステルの混合物、及びそれら種々に置換された混合物を含有することが知られている。ペンタエリトリトールエステルは、Ｒの鎖長を異にする混合物を有する化合物を含有してもよい。ペンタエリトリトールエステルは、Ｒの鎖長を異にする混合物を有する化合物を含有してもよく、Ｒ1が少なくとも１つの不飽和結合を含む化合物と、Ｒ1が完全に飽和された化合物との混合物を含有してもよい。
【手続補正２】
【補正対象書類名】明細書
【補正対象項目名】００４０
【補正方法】変更
【補正の内容】
【００４０】
イソシアネート反応性基Ｘが−ＳＨの場合、式（ＩＩＩａ）の例としては、ラウリルメルカプタン又はドデシルメルカプタンなどのアルキルチオール（Ｒ5は、少なくとも１つの不飽和結合を任意選択的に含む−Ｃ1〜Ｃ30の直鎖又は分枝鎖のアルキル）が挙げられるが、これらに限定されない。イソシアネート反応性基Ｘが−ＮＨ（Ｒ12）の場合、式（ＩＩＩａ）の例としては、ジイソプロピルアミン、プロピルアミン、ヘキシルアミン、又はラウリルアミンなどのアルキルアミン（Ｒ5は、少なくとも１つの不飽和結合を任意選択的に含む−Ｃ1〜Ｃ30の直鎖又は分枝鎖のアルキル）；エタノールアミン又はプロパノールアミンなどのアルカノールアミン（Ｒ5はＣ1〜Ｃ30の直鎖又は分枝鎖のヒドロキシ官能性アルキル）；シリコーンプレポリマーポリアミン（Ｒ5は、Ｃ1〜Ｃ30の直鎖又は分枝鎖のアミン官能性オルガノシロキサン）；アルキルジアミン（Ｒ5は、Ｃ1〜Ｃ30の直鎖又は分枝鎖のアミン官能性アルキル）；及び２−アミノエタンスルホン酸などのアミノアルカンスルホン酸（Ｒ5は、ＨＯ−Ｓ（Ｏ）2Ｒ10−）が挙げられるが、これらに限定されない。
【手続補正３】
【補正対象書類名】特許請求の範囲
【補正対象項目名】全文
【補正方法】変更
【補正の内容】
【特許請求の範囲】
【請求項１】
基材の処理方法であって、該処理方法が該基材を水性組成物と接触させることを含み、該水性組成物が、ｉ）表面効果を提供する化学物質、及びｉｉ）未反応のイソシアネート基を有しないポリマーエクステンダー組成物を含み、該ポリマーエクステンダー組成物が、
（ｉ）（ａ）イソシアネート、ジイソシアネート、ポリイソシアネート、又はこれらの混合物から選択される少なくとも１つのイソシアネート基含有化合物と、（ｂ）式（Ｉａ）、（Ｉｂ）、
【化１】
2016522330.tif 000001
2016522330.tif 000002
式中、各Ｒは、それぞれ独立して、−Ｈ、−Ｒ1、−Ｃ（Ｏ）Ｒ1、−（ＣＨ2ＣＨ2Ｏ）n（ＣＨ（ＣＨ3）ＣＨ2Ｏ）mＲ2、又は−（ＣＨ2ＣＨ2Ｏ）n（ＣＨ（ＣＨ3）ＣＨ2Ｏ）mＣ（Ｏ）Ｒ1であり、
各ｎは、それぞれ独立して０〜２０であり、
各ｍは、それぞれ独立して０〜２０であり、
ｍ＋ｎは、０より大きく、
各Ｒ1は、それぞれ独立して、所望により少なくとも１つの不飽和結合を含む５〜２９つの炭素を有する直鎖又は分岐鎖アルキル基であり、
各Ｒ2は、それぞれ独立して、−Ｈ、又は所望により少なくとも１つの不飽和結合を含む６〜３０つの炭素を有する直鎖若しくは分岐鎖アルキル基であり、
又はこれらの混合物から選択される少なくとも１つのイソシアネート反応性化合物と反応させることにより調製される化合物を含み、
但し該化合物が式（Ｉａ）に属する場合、少なくとも１つのＲ又はＲ2が−Ｈであり、及び、少なくとも１つのＲが、−Ｃ（Ｏ）Ｒ1、−（ＣＨ2ＣＨ2Ｏ）n（ＣＨ（ＣＨ3）ＣＨ2Ｏ）mＲ2、若しくは−（ＣＨ2ＣＨ2Ｏ）n（ＣＨ（ＣＨ3）ＣＨ2Ｏ）mＣ（Ｏ）Ｒ1から選択され、
各Ｒ3は、それぞれ独立して、−Ｈ、−Ｒ1、−Ｃ（Ｏ）Ｒ1、−（ＣＨ2ＣＨ2Ｏ）n’（ＣＨ（ＣＨ3）ＣＨ2Ｏ）m’Ｒ2、又は−（ＣＨ2ＣＨ2Ｏ）n’（ＣＨ（ＣＨ3）ＣＨ2Ｏ）m’Ｃ（Ｏ）Ｒ1であり、
各Ｒ4は、それぞれ独立して、−Ｈ、任意選択的に少なくとも１つの不飽和結合を含む６〜３０つの炭素を有する直鎖若しくは分岐鎖アルキル基、若しくはこれらの組み合わせ；−（ＣＨ2ＣＨ2Ｏ）n’（ＣＨ（ＣＨ3）ＣＨ2Ｏ）m’Ｒ2；又は−（ＣＨ2ＣＨ2Ｏ）n’（ＣＨ（ＣＨ3）ＣＨ2Ｏ）m’Ｃ（Ｏ）Ｒ1；であり、
各ｎ’は、それぞれ独立して０〜２０であり、
各ｍ’は、それぞれ独立して０〜２０であり、
ｍ’＋ｎ’は、０より大きく、
但し該化合物が式（Ｉｂ）に属する場合、該化合物は、アルキル基で一置換、二置換又は三置換されて、及び、Ｒ2、Ｒ3若しくはＲ4の少なくとも１つが−Ｈであり、
該表面効果は、アイロン不要、アイロン容易、収縮制御、しわなし、形状安定、湿気制御、柔軟性、滑り止め、静電気防止、裂け防止、毛玉防止、染み忌避性、染み除去、汚れ忌避性、汚れ除去、水忌避性、油忌避性、臭気制御、抗菌性、又は太陽光線防止から選択され、並びに、
該化学物質は、非フッ素化陽イオン性アクリル系ポリマ、非フッ素化陰イオン性アクリル系ポリマ、非フッ素化非イオン性アクリル系ポリマ、部分的フッ素化ウレタン、陽イオン性部分的フッ素化アクリル系ポリマ又はコポリマ、非イオン性部分的フッ素化アクリル系ポリマ又はコポリマ、部分的フッ素化アクリルアミドポリマ又はコポリマ、シリコン及びパラフィンからなる群から選択される、処理方法。
【請求項２】
式（Ｉａ）、（Ｉｂ）の前記化合物が、少なくとも５０％バイオ系由来である、請求項１に記載の方法。
【請求項３】
前記ジイソシアネート又はポリイソシアネートが、ヘキサメチレンジイソシアネートホモポリマ、３−イソシアネートメチル−３，４，４−トリメチルシクロヘキシルイソシアネート、ビス−（４−イソシアネートシロヘキシル）メタン、並びに式（ＩＩａ）、（ＩＩｂ）、（ＩＩｅ）及び（ＩＩｄ）のジイソシアネート三量体からなる群から選択される、請求項１に記載の方法。
【化２】
2016522330.tif 000003
2016522330.tif 000004
2016522330.tif 000005
2016522330.tif 000006
【請求項４】
前記工程（ｉ）が、（ｃ）水、式（ＩＩＩａ）
Ｒ5−Ｘ    （ＩＩＩａ）
の少なくとも１つの有機化合物、
式（ＩＩＩｂ）
Ｒ15−（ＯＣＨ2ＣＨ（ＯＲ16）ＣＨ2）z−ＯＲ17    （ＩＩＩｂ）
の少なくとも１つの有機化合物、
又はこれらの混合物から選択される少なくとも１つの第２の化合物を反応させることを更に含み、式中、
Ｒ5は、任意選択的に少なくとも１つの不飽和基を含む−Ｃ1〜Ｃ30直鎖又は分岐鎖アルキル、ヒドロキシ官能性Ｃ1〜Ｃ30直鎖又は分岐鎖アルキル、ヒドロキシ官能性直鎖又は分岐鎖Ｃ1〜Ｃ30ポリエーテル、ヒドロキシ官能性直鎖又は分岐鎖ポリエステル、ヒドロキシ又はアミン官能性直鎖又は分岐鎖オルガノシロキサン、チオール官能性Ｃ1〜Ｃ30直鎖又は分岐鎖アルキル、アミン官能性Ｃ1〜Ｃ30直鎖又は分岐鎖アルキルから選択され、
【化３】
2016522330.tif 000007
式中、
Ｒ7、Ｒ8及びＲ9は、それぞれ独立して、−Ｈ、−Ｃ1〜Ｃ6アルキル又はこれらの組み合わせであり、
Ｒ10は、炭素１〜２０つの二価のアルキル基であり、
Ｘは、−ＯＨ、−Ｃ（Ｏ）ＯＨ、−ＳＨ、−ＮＨ（Ｒ12）、−Ｏ−（ＣＨ2ＣＨ2Ｏ）s（ＣＨ（ＣＨ3）ＣＨ2Ｏ）t−Ｈ、又は−［Ｃ（Ｏ）］−Ｏ−（ＣＨ2ＣＨ2Ｏ）s（ＣＨ（ＣＨ3）ＣＨ2Ｏ）t−Ｈから選択されるイソシアネート反応性基であり、
Ｒ12は、−Ｈ又は一価のＣ１〜Ｃ６アルキル基であり、
Ｒ15、Ｒ16又はＲ17の少なくとも１つが−Ｈである場合、Ｒ15、Ｒ16又はＲ17は、それぞれ独立して、−Ｈ、−Ｒ18、−Ｃ（Ｏ）Ｒ18であり、
Ｒ18は、独立して、任意選択的に少なくとも１つの不飽和結合を含む５〜２９つの炭素を有する直鎖又は分岐鎖アルキル基であり、
ｚは、１〜１５であり、
Ｙは、−Ｃｌであり、
ｓは、０〜５０の整数であり、
ｔは、０〜５０の整数であり、
ｓ＋ｔは、０より大きい、請求項１に記載の方法。
【請求項５】
前記（ｂ）が式（Ｉａ）
【化４】
2016522330.tif 000008
から選択される少なくとも１つの化合物であり、
式中、Ｒは、独立して、−Ｈ、−Ｒ1又は−Ｃ（Ｏ）Ｒ1である、請求項４に記載の方法。
【請求項６】
前記（ｂ）が式（Ｉａ）
【化５】
2016522330.tif 000009
から選択される少なくとも１つの化合物であり、
式中、Ｒは、それぞれ独立して、−Ｈ、−（ＣＨ2ＣＨ2Ｏ）n（ＣＨ（ＣＨ3）ＣＨ2Ｏ）mＲ2、又は−（ＣＨ2ＣＨ2Ｏ）n（ＣＨ（ＣＨ3）ＣＨ2Ｏ）mＣ（Ｏ）Ｒ1である、請求項４に記載の方法。
【請求項７】
前記（ｂ）が式（Ｉｂ）から選択される少なくとも１つの化合物である、請求項４に記載の方法。
【化６】
2016522330.tif 000010
【請求項８】
前記エクステンダー組成物の前記化学物質に対する比が約１：１０〜約１０：１である、請求項１に記載の方法。
【請求項９】
前記組成物がブロックイソシアネートを更に含む、請求項１に記載の方法。
【請求項１０】
前記基材が繊維、織物、布地、混紡布、紙、不織布、革又はこれらの組み合わせである、請求項１の方法。
【請求項１１】
請求項１に記載の方法によって処理される基材。
【請求項１２】
基材を処理するための水性組成物であって、該水性組成物がｉ）表面効果を提供する化学物質、及び、ｉｉ）未反応のイソシアネート基を有しないポリマーエクステンダー組成物を含み、該ポリマーエクステンダー組成物が
（ｉ）（ａ）イソシアネート、ジイソシアネート、ポリイソシアネート又はこれらの混合物から選択される少なくとも１つのイソシアネート基含有化合物と、（ｂ）式（Ｉａ）、（Ｉｂ）、
【化７】
2016522330.tif 000011
2016522330.tif 000012
式中、各Ｒは、それぞれ独立して、−Ｈ、−Ｒ1、−’Ｃ（Ｏ）Ｒ1、−（ＣＨ2ＣＨ2Ｏ）n（ＣＨ（ＣＨ3）ＣＨ2Ｏ）mＲ2、又は−（ＣＨ2ＣＨ2Ｏ）n（ＣＨ（ＣＨ3）ＣＨ2Ｏ）mＣ（Ｏ）Ｒ1であり、
各ｎは、それぞれ独立して０〜２０であり、
各ｍは、それぞれ独立して０〜２０であり、
ｍ＋ｎは、０より大きく、
各Ｒ1は、それぞれ独立して、任意選択的に少なくとも１つの不飽和結合を含む５〜２９つの炭素を有する直鎖又は分岐鎖アルキル基であり、
各Ｒ2は、それぞれ独立して、−Ｈ、又は任意選択的に少なくとも１つの不飽和結合を含む６〜３０つの炭素を有する直鎖若しくは分岐鎖アルキル基であり、
又はこれらの混合物から選択される少なくとも１つのイソシアネート反応性化合物と反応させることにより調製される化合物を含み、
但し該化合物が式（Ｉａ）に属する場合、Ｒ又はＲ2の少なくとも１つが−Ｈであり、及び、少なくとも１つのＲが、−Ｃ（Ｏ）Ｒ1、−（ＣＨ2ＣＨ2Ｏ）n（ＣＨ（ＣＨ3）ＣＨ2Ｏ）mＲ2、若しくは−（ＣＨ2ＣＨ2Ｏ）n（ＣＨ（ＣＨ3）ＣＨ2Ｏ）mＣ（Ｏ）Ｒ1から選択され、
各Ｒ3は、それぞれ独立して、−Ｈ、−Ｒ1、−Ｃ（Ｏ）Ｒ1、−（ＣＨ2ＣＨ2Ｏ）n’（ＣＨ（ＣＨ3）ＣＨ2Ｏ）m’Ｒ2、又は−（ＣＨ2ＣＨ2Ｏ）n’（ＣＨ（ＣＨ3）ＣＨ2Ｏ）m’Ｃ（Ｏ）Ｒ1であり、
各Ｒ4は、それぞれ独立して、−Ｈ、任意選択的に少なくとも１つの不飽和結合を含む６〜３０つの炭素を有する直鎖若しくは分岐鎖アルキル基、若しくはこれらの組み合わせ；−（ＣＨ2ＣＨ2Ｏ）n’（ＣＨ（ＣＨ3）ＣＨ2Ｏ）m’Ｒ2；又は−（ＣＨ2ＣＨ2Ｏ）n’（ＣＨ（ＣＨ3）ＣＨ2Ｏ）m’Ｃ（Ｏ）Ｒ1；であり、
各ｎ’は、それぞれ独立して０〜２０であり、
各ｍ’は、それぞれ独立して０〜２０であり、
ｍ’＋ｎ’は、０より大きく、
但し該化合物が式（Ｉｂ）に属する場合、該化合物は、アルキル基で一置換、二置換又は三置換されて、及び、Ｒ2、Ｒ3若しくはＲ4の少なくとも１つが−Ｈであり、
該表面効果は、アイロン不要、アイロン容易、収縮制御、しわなし、形状安定、湿気制御、柔軟性、強度、滑り止め、静電気防止、裂け防止、毛玉防止、染み忌避性、染み除去、汚れ忌避性、汚れ除去、水忌避性、油忌避性、臭気制御、抗菌性、又は太陽光線防止から選択され、並びに、
該化学物質は、非フッ素化陽イオン性アクリル系ポリマ、非フッ素化陰イオン性アクリル系ポリマ、非フッ素化非イオン性アクリル系ポリマ、部分的フッ素化ウレタン、陽イオン性部分的フッ素化アクリル系ポリマ又はコポリマ、非イオン性部分的フッ素化アクリル系ポリマ又はコポリマ、部分的フッ素化アクリルアミドポリマ又はコポリマ、シリコン及びパラフィンからなる群から選択される、水性組成物。